(57)【要約】  【課題】  腹部両側から両脇部にかけて贅肉の膨出を抑制する補整パワーを高め、かつ、肉の段差や生地の引き攣れのないスッキリとしたシルエットを形成する。  【解決手段】  ウエスト位置から両脚周り部に達する本体布１１と、腹部押さえ用の第一当て布１５と、腹部両側押さえ用の第二当て布１６と、腹部両側押さえ兼ヒップアップ用の第三当て布１７を備える。第一当て布１５は本体布１１の前部中央部に配置し、第二当て布１６は、第一当て布１５の上部側の腹部両側から少なくとも脇線に達する位置へ延在し、第三当て布１７は、第一当て布１５の腹部両側から脇線を越えて本体布１１の後部へヒップ外周に沿って円弧状に延在し、該腹部両側から少なくとも脇線に達する位置では本体布１１、第二当て布１６、第三当て布１７の３枚重ねとしている。第二当て布１６の下端縁１６ａと第三当て布１７の外側縁１７ｂは本体布１１と縫着せず遊離させている。【選択図】図３
2010255148.tif 000002
【特許請求の範囲】
【請求項１】
本体布と、腹部押さえ用の第一当て布と、腹部両側押さえ用の第二当て布と、腹部両側押さえ用兼ヒップアップ用の第三当て布を備え、
前記本体布は、ウエストラインに位置する上端縁から股部および左右脚周り部に達する前後見頃部を有し、
前記第一当て布は、本体布の前部中央部に配置し、周縁を本体布に縫着し、
前記第二当て布は、前記第一当て布の上部側の腹部両側から少なくとも脇線に達する位置へ延在し、該第二当て布の上端を前記本体布の上端に縫着すると共に、下端は本体布と縫着せずに遊離させ、
前記第三当て布は、前記第二当て布と重ねて第一当て布の腹部両側から脇線を越えて本体布の後部へ延在し、該本体布の後部ではヒップの外周に位置させると共に、外側縁は股部側から前記第一当て布に向けて傾斜させ、該第三当て布の上端の少なくとも一部を前記本体布の上端に縫着すると共に前記外側縁は本体布と縫着せずに遊離させ、
前記第一当て布の上部側の腹部両側から脇線に達する位置では前記本体布、第二当て布及び第三当て布の３枚重ねとしている股部を有する衣類。
【請求項２】
前記本体布は前記第一、第二、第三当て布の素材と相違した縦横方向の伸びが大きい素材からなり、
前記第一当て布は横伸びが無い素材または低伸縮性の素材、第二当て布および第三当て布は長さ方向が直交方向よりも伸び率が低い素材からなる請求項１に記載の股部を有する衣類。
【請求項３】
前記第二当て布は腹部両側から後部側全周に渡って配置し、前部側では前記本体布と前記第一当て布との間に挟んで位置させると共に脇線を越えて本体布の後部側に連続させ、前部側では下端縁を上向き傾斜させて上前腸骨棘、下前腸骨棘、腸骨稜を覆う位置に配置していると共に、後部側では下端縁を上端縁と略平行として上後腸骨棘を覆う位置に配置し、前側端縁は前記本体布および第一当て布と縫着し、
前記第三当て布は前記第二当て布の肌側に重ねて配置し、該第三当て布の後部側の前記内側縁の上部は前記第二当て布と重ね、該第二当て布および本体布と縫着し、該内側縁の下部側は前記第二当て布の下端縁との間に領域をあけ、該領域をヒップの膨出部に位置するようにし、該第三当て布は前記本体布の後部側でクロッチ部の後部上端の少なくとも一部に縫着している請求項１または請求項２に記載の股部を有する衣類。
【請求項４】
前記第二当て布および第三当て布は端始末不要の素材からなり、前記遊離させる端縁は縫着処理していない請求項１乃至請求項３のいずれか１項に記載の股部を有する衣類。
【請求項５】
前中央布と左右本体布とからなる本体布、腹部両側押さえ用の第二当て布と、腹部両側押さえ用兼ヒップアップ用の第三当て布を備え、
前記本体布の前記前中央布は前記左右本体布より伸びの少ない別素材で形成しており、
前記第二当て布は、前記前中央布の上部側の腹部両側から少なくとも脇線に達する位置へ延在し、該第二当て布の上端を前記本体布の上端に縫着すると共に、下端は本体布と縫着せずに遊離させ、
前記第三当て布は、前記第二当て布と重ねて前記前中央布の腹部両側から脇線を越えて本体布の後部へ延在し、前記左右本体布からなる本体布の後部ではヒップの外周に位置させると共に、外側縁は股部側から前記前中央布に向けて傾斜させ、該第三当て布の上端の少なくとも一部を前記前中央布の上端に縫着すると共に前記外側縁は前記左右本体布と縫着せずに遊離させ、
前記前中央布の上部側の腹部両側から少なくとも脇線に達する位置では前記左右本体布、第二当て布及び第三当て布の３枚重ねとしている股部を有する衣類。
【発明の詳細な説明】
【技術分野】
【０００１】
本発明は、ガードル、ボディスーツ、パンティ等の股部を有する衣類に関し、特に、腹部、脇部、ヒップの贅肉を押さえるものである。
【背景技術】
【０００２】
従来、ガードルなどの股部を有する衣類は、主として腹部の贅肉による膨らみやたるみを押さえて体形をスッキリ見せる補整機能を備えているものが多い。この種の衣類としては、腹部から両脇部にかける部位や臀部下部などの気になる部位に比較的伸縮パワーの強い補整布を配して贅肉を押さえたり引っ張り上げる機能を有するものが知られている。
【０００３】
例えば、本願出願人は、先の出願に係る特開平９−２１７２０６号公報（特許文献１）で図８に示すようなガードル１を提案している。ガードル１は、腹部をカバーする腹部布３と、該腹部布３の腹部中央部近傍脇から上方へ斜行して本体布２の少なくとも脇近傍まで至る長さ方向に伸縮可能でやや広幅の第１ストレッチ性帯状体４と、腹部布３のウエスト位置近傍脇からウエストラインに沿って本体布２の脇近傍に至る少なくとも長さ方向に伸縮可能なやや広幅の第２ストレッチ性帯状体５とを備えている。第１、第２ストレッチ帯状体４、５の下辺は本体布２と縫着せず遊離させている。
【０００４】
前記ガードル１は、第１ストレッチ帯状体４が腹部布３を引っ張り上げる作用をするため、腹部の膨出を押さえることができ、かつ、第２ストレッチ帯状体５で両脇の贅肉のたるみを押さえることができる。また、第１、第２ストレッチ帯状体４、５の下辺を本体布２から遊離させておくことにより、第１、第２ストレッチ帯状体４、５の伸縮パワーを本体布２を構成する生地に拘束されることなく十分に発現することが可能となり、引き攣れ等の発生も防止できる。
【０００５】
しかしながら、前記第１、第２ストレッチ帯状体４、５はごく一部の狭い領域Ａを除いて殆ど重なっておらず、しかも、両帯状体４、５の下辺は本体布２に縫着していないため、腹部側から流れてきた贅肉が集まりやすい両脇部へのパワーがやや不足する。
また、第１ストレッチ帯状体４の下辺側が第２ストレッチ帯状体５と重なっていないため、贅肉の押し戻し力に第１ストレッチ帯状体４が負けて前記遊離した下辺側からタブリやすくなる。このタブリは第１ストレッチ帯状体４が広幅であると一層生じやすく、このタブリによって第１ストレッチ帯状体４の幅が狭くなると十分な伸縮パワーおよび補整機能を発揮できなくなる点にも改良の余地がある。
【０００６】
また、他の一例として、実用新案登録第３１０１７９９号公報（特許文献２）に示されたガードル６が挙げられる。該ガードル６は、図９（Ａ）（Ｂ）に示すように、後中心部近傍からヒップ下部に沿って円弧状に湾曲したのち脇側前方に向かって上向きに斜行する伸縮性の裏打ち布８を備えており、該裏打ち布８は、上端縁８ａと下端縁８ｂを本体布７と縫着しているが、前側円弧辺８ｃと後側円弧辺８ｄの少なくとも中央部は本体布７と縫着せずに遊離させている。
【０００７】
前記ガードル６は、裏打ち布８と本体布７との縫着部分が多いため、脇部を押さえる補整パワーとヒップ下部を引っ張り上げるヒップアップ補整パワーとを比較的強く発現できると考えられるが、その反面、補整箇所と非補整箇所との境目で肉の段差が現れやすくなる点に課題がある。
【先行技術文献】
【特許文献】
【０００８】
【特許文献１】特開平０９−２１７２０６号公報
【特許文献２】実用新案登録第３１０１７９９号公報
【発明の概要】
【発明が解決しようとする課題】
【０００９】
本発明は前記問題に鑑みてなされたものであり、腹部、腹部両側から脇部にかける部分、臀部の体型をスッキリと整える機能を備え、押さえ布のタブリや本体布の引き攣れを防ぎ、かつ、特に腹部両側から両脇側部にかけて効果的にパワーを発揮すると共に肉の段差発生も防いでスッキリと体形を整えることができる股部を有する衣類の提供を課題としている。
【課題を解決するための手段】
【００１０】
前記課題を解決するために、第１の発明として、
本体布と、腹部押さえ用の第一当て布と、腹部両側押さえ用の第二当て布と、腹部両側押さえ用兼ヒップアップ用の第三当て布を備え、
前記本体布は、ウエストラインに位置する上端縁から股部および左右脚周り部に達する前後見頃部を有し、
前記第一当て布は、本体布の前部中央部に配置し、周縁を本体布に縫着し、
前記第二当て布は、前記第一当て布の上部側の腹部両側から少なくとも脇線に達する位置へ延在し、該第二当て布の上端を前記本体布の上端に縫着すると共に、下端は本体布と縫着せずに遊離させ、
前記第三当て布は、前記第二当て布と重ねて第一当て布の腹部両側から脇線を越えて本体布の後部へ延在し、該本体布の後部ではヒップの外周に位置させると共に、外側縁は股部側から前記第一当て布に向けて傾斜させ、該第三当て布の上端の少なくとも一部を前記本体布の上端に縫着すると共に前記外側縁は本体布と縫着せずに遊離させ、
前記第一当て布の上部側の腹部両側から脇線に達する位置では前記本体布、第二当て布及び第三当て布の３枚重ねとしている股部を有する衣類を提供している。
【００１１】
前記構成の股部を有する衣類は、第一当て布によって腹部を、第二当て布によって腹部両側から脇部を、第三当て布によって腹部両側から脇線を越えてウエスト後脇部分およびヒップ下部をそれぞれ押さえて体型をスッキリと整えるものである。
【００１２】
特に、第一当て布の上部両側から脇部にかけて第二当て布と第三当て布とを３枚重ねとするため、第一当て布により腹部側から脇側へと流れる贅肉を強いパワーで効果的に押さえ込むことができる。かつ、第一当て布を第二当て布および第三当て布により脇側へと引っ張る作用も加わる。よって、腹部押さえ用の当て布だけを取り付けている場合は腹部を押さえることはできるが、本発明では腹部および腹部両側からウエスト後脇部に発生する贅肉を押さえることができ、ウエスト周りの全周をスッキリと整えることができる。
さらに、第二当て布により、第一当て布を脇側へ引っ張ると同時に腹部から腹斜筋にかけて引き上げる作用も有し、腹部全体の下垂を防止することができる。
【００１３】
また、第二当て布の下端および第三当て布の外側縁を本体布から遊離させているため、この遊離部分は縫合糸による生地伸度固定の影響をうけずにその伸張性を発現でき、押さえつけた贅肉を適度に分散して逃すことができるため、該第二当て布と第三当て布の端縁の位置で肉の段差が発生することを防ぐことができる。さらに、本体布は第二当て布および第三当て布に引っ張られることなく運動追従性を発現できるため、着崩れや本体布の引き攣れも防ぐことができる。これらにより、腹部から脇線を越えてウエスト後脇部にかけたウエスト周りとヒップ外周部を補整して段差や引き攣れのないスッキリと美しいシルエットを形成することができる。
【００１４】
さらにまた、前述のとおり、腹部両側から脇部にかけて本体布と第二当て布と第三当て布とを３枚重ねて配置していることにより、腹部側から脇側に流れてきた贅肉の膨出に対しても強く安定したパワーで、第二当て布の下端遊離部分が贅肉の押し戻し力に負けてタブることを防止できる。
【００１５】
なお、前記本体布、第二当て布および第三当て布とを３枚重ねとする領域は、ウエスト全周の２５％以上５０％未満、かつ、鼠鶏部より上側位置が好ましい。これは、３枚重ねの領域がウエスト全周の２５％未満では、強い補整パワーを発現する領域が小さすぎて腹部から脇部にかけての補整機能を十分に発揮できず、５０％超では強い補整パワーを発現する領域が大きすぎてウエスト全体への締め付け感が強まり、着用感が悪化することに因る。
また、前記３枚重ね領域を鼠鶏部より上側位置とすることにより、運動時に変形量が大きく、かつリンパが集中する部位でもある鼠鶏部に強い締め付け力が加わることを防ぎ、着用感を良好なものとすることができる。
前記本体布の後部側でヒップの外周に沿って配置する前記第三当て布の内端縁は、ヒップ外周に沿った円弧形状としても良いし、直線状に傾斜させてもよい。
【００１６】
前記本体布は前記第一、第二、第三当て布の素材と相違した縦横方向の伸びが大きい素材からなり、
前記第一当て布は横伸びが無い素材または低伸縮性の素材、第二当て布および第三当て布は長さ方向が直交方向よりも伸び率が低い素材を用いていることが好ましい。
【００１７】
このように、本体布の縦横方向の伸びを大きくすることにより、着脱が容易になるうえ、着用時の本体布の運動追従性を高めることができ、着崩れや引き攣れをより効果的に防ぐことができる。
【００１８】
第一当て布は横伸び無しとしても良いし、縦横方向のいずれも若干の伸びは有するが伸びにくい素材としてもよい。これにより、該第一当て布に対して第二当て布の引っ張り力および引き上げ力を効果的に作用させることができ、腹部の贅肉の膨出を押さえ込む補整機能を効果的に発揮することができる。
さらに、前記のように、ウエストラインに沿って配置される第二当て布の長さ方向（即ち、腹部から脇線部へと延在する横方向）より直交する方向（上下方向）の伸び率を低くしている。前記第三当て布も長さ方向（腹部側から背部へと延在する方向）より直交する方向（上下方向）の伸び率を低くしている。
このように、第二、第三当て布の上下方向の伸び率を低くしているため、ウエスト回りに腹部および後脇部に発生しやすい贅肉の段差を押さえ込むことができ、かつ、第一当て布を無理なく引っ張ると共に引き上げる力を発生させることができる。また、第三当て布によりヒップ外周を持ち上げる力を強めてヒップアップ機能を効果的に発揮させることができる。
【００１９】
詳しくは、前記第二当て布は腹部両側から後部側全周に渡って配置し、前部側では前記本体布と前記第一当て布との間に挟んで位置させると共に脇線を越えて本体布の後部側に連続させ、前部側では下端縁を上向き傾斜させて上前腸骨棘、下前腸骨棘、腸骨稜を覆う位置に配置していると共に、後部側では下端縁を上端縁と略平行として上後腸骨棘を覆う位置に配置し、前側端縁は前記本体布および第一当て布と縫着し、
前記第三当て布は前記第二当て布の肌側に重ねて配置し、該第三当て布の後部側の前記内側縁の上部は前記第二当て布と重ね、該第二当て布および本体布と縫着し、該内側縁の下部側は前記第二当て布の下端縁との間に領域をあけ、該領域をヒップの膨出部に位置するようにし、該第三当て布は前記本体布の後部側でクロッチ部の後部上端の少なくとも一部に縫着していることが好ましい。
【００２０】
第一当て布、第二当て布、および第三当て布をそれぞれ前記のような形状および配置とすることにより、運動時等に身体挙動の大きい部位や変形量の大きい部位以外の領域にこれら当て布が配置されるため、身体挙動を妨がず良好な運動追従性を確保しながら、腹部、ウエスト回りの腹部の両側からウエスト後脇部の贅肉を押さえ、かつ、ヒップ下部を持ち上げてヒップアップを効果的に発揮させることができる。
【００２１】
なお、第三当て布の外側縁の長さは、該外側縁に対応する部分の本体布の長さよりも１ｃｍ前後短く設定してもよい。これにより、ヒップアップ効果をより一層高めることができる。
【００２２】
また、前記第三当て布の前記内側縁は、本体布と第二当て布との３枚重ね領域のみで縫着し、それより下部側は本体布と縫着せず前記外側縁と同様に遊離させてもよい。その場合は、該第三当て布の幅を広くしてヒップ膨出部の前記領域を小さくすることにより、着用時に着用者が誤って本体布と第三当て布との間の遊離空間に足を入れてしまわないように配慮することが好ましい。また、該内側縁の長さは、該内側縁に対応する部分の本体布の長さよりも１ｃｍ前後短く設定して、ヒップアップ効果をより一層高める態様としてもよい。
【００２３】
前記第二当て布および第三当て布は端始末不要の素材からなり、前記遊離させる端縁は縫着処理していないことが好ましい。
これにより、第二当て布および第三当て布の輪郭が表地、さらには外衣に響くことを防止できる。
【００２４】
また、第２の発明として、前記第一当て布を設けず、本体布の前中央布を伸びが殆どない素材で形成している点を第１の発明と相違させ、本体布の前中央布と前記第一当て布の両方の機能を持たせた股部を有する衣類を提供している。
【００２５】
即ち、第２の発明の股部を有する衣類は、前中央布と左右本体布とからなる本体布、腹部両側押さえ用の第二当て布と、腹部両側押さえ用兼ヒップアップ用の第三当て布を備え、
前記本体布の前記前中央布は前記左右本体布より伸びの少ない別素材で形成しており、
前記第二当て布は、前記前中央布の上部側の腹部両側から少なくとも脇線に達する位置へ延在し、該第二当て布の上端を前記本体布の上端に縫着すると共に、下端は本体布と縫着せずに遊離させ、
前記第三当て布は、前記第二当て布と重ねて前記前中央布の腹部両側から脇線を越えて本体布の後部へ延在し、前記左右本体布からなる本体布の後部ではヒップの外周に位置させると共に、外側縁は股部側から前記前中央布に向けて傾斜させ、該第三当て布の上端の少なくとも一部を前記前中央布の上端に縫着すると共に前記外側縁は前記左右本体布と縫着せずに遊離させ、
前記前中央布の上部側の腹部両側から少なくとも脇線に達する位置では前記左右本体布、第二当て布及び第三当て布の３枚重ねとしていることを特徴とする。
なお、他の構成は前記第１の発明の股部を有する衣類と同様としている。
【発明の効果】
【００２６】
上述したように、第１の発明では第一当て布、第２の発明では第一当て布を兼ねる本体布の前中央布によって腹部を押さえ、第二当て布と第三当て布とによって腹部両側からウエスト後脇部にかけたウエスト回り全体を、第三当て布によってヒップ外周をそれぞれ押さえてスッキリと整えることができる。特に、ウエストラインに沿った腹部両側からウエスト後脇部にかけた部位では第二当て布と第三当て布と本体布とが３枚重ねとなることにより、該部位の押さえパワーを増強することで、腹部側から脇側へ流れてきた贅肉を効果的に押さえ込むことができる。また、第二当て布の下端と第三当て布の外側縁を本体布と縫着せず遊離させていることにより、この遊離部分では当て布の締め付け力が低減するため、押さえつけた贅肉を該遊離部分で適度に分散して逃すことができ、これら当て布の端縁の位置に贅肉の段差が生じることを防止できる。さらに、本体布は第二当て布および第三当て布に引っ張られることなく身体挙動に追従することができるため、本体布が引き攣れたり着崩れることも防止できる。これらにより、腹部から両脇部にかけたウエスト部とヒップ外周部をスッキリと美しく補整することが可能となる。
さらに、第二当て布により、第一当て布を脇側へ引っ張ると同時に腹部から腹斜筋へと引き上げる力もあり、腹部の下垂を防止できる。
【００２７】
また、腹部から流れてきた贅肉が溜まりやすい腹部両側から脇部にかけた広範囲に、本体布と第二当て布のみでなく、さらに第三当て布も裏打ちして３枚重ねて配置しているため、該部位に強く安定したパワーを発揮することができ、ウエストラインに沿って配置された第二当て布が、贅肉の押し戻し力に負けて下端の遊離部分からタブってしまうことを防止できる、
【図面の簡単な説明】
【００２８】
【図１】本発明の第一実施形態に係るロングガードルの着用時の状態を示し、（Ａ）は正面側の斜視図、（Ｂ）は背面側の斜視図である。
【図２】図１に示すロングガードルの表面側を示し、（Ａ）は正面図、（Ｂ）は背面図である。
【図３】図１に示すロングガードルの裏面側を示し、（Ａ）は正面図、（Ｂ）は背面図である。
【図４】第一実施形態の第一変形例を示し、ロングガードルの裏面側背面図である。
【図５】第一実施形態の第二変形例を示し、ロングガードルの正面図である。
【図６】第二実施形態に係るショートガードルの着用時の状態を示し、（Ａ）は正面側斜視図、（Ｂ）は背面側斜視図である。
【図７】本発明の第三実施形態に係るロングガードルを示し、（Ａ）は正面側の斜視図、（Ｂ）は背面図である。
【図８】従来例を示す側面図である。
【図９】（Ａ）（Ｂ）は他の従来例を示す図である。
【発明を実施するための形態】
【００２９】
以下、本発明の実施形態を図面を参照して説明する。
図１乃至図３に、第一実施形態に係るロングガードル１０−１からなる股部を有する衣類を示す。
【００３０】
ロングガードル１０−１は、図２および図３に示すように、本体布１１と、該本体布１１の肌側となる裏面側に取り付けられる第一当て布１５、左右一対の第二当て布１６および左右一対の第三当て布１７と、ウエスト布１８とからなる。
【００３１】
前記本体布１１は、図２（Ａ）（Ｂ）に示すように、前中央部に配置される前中央布１２と、一対の左右本体布１３と、クロッチ布１４とからなる。本体布１１は、縦横方向に伸縮性を有し、かつ、端始末不要で切り離しできるトリコットで形成している。
なお、本体布１１はトリコット以外に、パワーネット、丸編地で形成してもよい。また、前中央布１２と左右本体布１３とは同一素材に限定されず、異なる素材で形成してもよいが、その場合も縦横方向に伸縮性を有する素材で形成している。
【００３２】
前中央布１２は、図２（Ａ）に示すように、ウエストライン近傍の上端位置からクロッチ布１４の前端に至る位置までに配置され、左右両端を下向きに幅狭となるように傾斜させた逆台形状よりなる。
左右本体布１３は、図２（Ａ）（Ｂ）に示すようにウエスト近傍の上端位置から下端は大腿部を囲む位置まで達する前身頃部１３Ａと後身頃部１３Ｂを脇線ラインを越えて連続的に備え、正面側の前端縁のうち股部より上側部分は、前中央布１２の左右両端の傾斜に対応するように脇側から股側に向けて下向き傾斜させている。
【００３３】
左右本体布１３は、図２（Ｂ）に示すように、その後端縁を、後部側臀部では後中央の臀裂に沿った位置で互いに縫着し、股部ではクロッチ布１４の後端と縫着し、大腿部の内側では左右本体布１３の前端縁とそれぞれ縫着して左右一対の筒状部を形成し、脚裾周りは端始末の縫着をしていない。また、左右本体布１３の前端縁は、図２（Ａ）に示すように、正面側腹部で前記前中央布１２の左右両端縁と縫着し、股部ではクロッチ布１４の左右両端縁と縫着している。前記前中央布１２の下端は、クロッチ布１４の前端縁と縫着している。クロッチ布１４は股部を形成し、裏面側に股部当て布２１を取り付けている。
【００３４】
前記前中央布１２の上端縁と左右本体布１３の上端縁とを連続してなる本体布１１の上端全周には、ウエスト布１８を縫着している。このウエスト布１８は、本体布１１と同一素材からなる表地１９と裏地２０とからなり、図３（Ａ）（Ｂ）に示すように、表地１９の上端を裏側に折り返し、該折り返し部の下端と裏地２０の上端とを縫着して２枚重ねとしている。該ウエスト布１８は、長さ方向の両端を後中央で縫着して連結していると共に、下端を本体布１１の上端縁に縫着している。
【００３５】
前記第一当て布１５は、図３（Ａ）に示すように前中央部に配置される腹部押さえ用の当て布である。前記本体布１１の前中央布１２と同一形状より、ウエストラインから股部に向けて左右両側を傾斜させている。該第一当て布１５は本体布１１とは異なる素材で形成し、横方向に伸びのない素材からなる。本実施形態ではパワーネットで形成している。この第一当て布１５は、前中央布１２の裏面側に重ねて配置され、その周縁を前中央布１２の周縁に縫着して固定している。
第一当て布１５はパワーネットに限定されず、トリコット、マーキゼット等で形成してもよい。また、第一当て布１５の形状は本体布１１と同一形状に限定されず、上端はウエストラインに位置させると共に下腹部に当たる位置で三角形状としたベースプレート形状としても良いし、上下に三角形を設けた菱形状としてもよい。第一当て布１５を菱形状とする場合は、後述する第二、第三当て布は第一当て布の左右傾斜辺に縫着している。
【００３６】
前記左右一対の第二当て布１６は、図１（Ａ）（Ｂ）および図３（Ａ）（Ｂ）に示すように、第一当て布１５の上部側の腹部両側から脇線を越えて後部中央まで至る略帯状体よりなる。この左右の第二当て布１６を後部中央で縫着して連結して腹部両側から後部側全周に配置している。該第二当て布１６は、前部側では下端縁１６ａを脇側に向かって上向き傾斜させて上前腸骨棘、下前腸棘、腸骨稜を覆うが鼠鶏部にまで至らない位置に配置している。後部側では下端縁１６ａを上端縁と略平行として上後腸骨棘を覆う位置に配置している。
【００３７】
前記第二当て布１６は、前側端部を前記前中央布１２と第一当て布１５との間に挟んで縫着し、後側端縁を後部中央で本体布１１と縫着し、かつ上端縁を本体布１１の上端縁と縫着している。下端縁１６ａは本体布１１と縫着せずに遊離させている。
なお、第二当て布１６は後中央で本体布１１と縫着しなくてもよい。また、第二当て
布１６は左右一対とせずに後部側で連続させてもよい。
【００３８】
前記左右一対の第三当て布１７は、図１（Ａ）（Ｂ）および図３（Ａ）（Ｂ）に示すように、第一当て布１５の腹部両側から脇線を越えてヒップ外周に沿いながら本体布１１の後部中央へ円弧状に延在させ、腹部両側押さえ用兼ヒップアップ用の当て布としている。  該第三当て布１７は、前部側では、上端縁はウエスト近傍に位置し、下端縁は第二当て布１６の前端部の下端よりやや上方位置から脇側に向かって下方に傾斜しているが、鼠鶏部には至らない上側に配置している。後部側では、前記上端縁の後端と連続する内側縁１７ａを、ヒップ外周よりも上方位置（内側位置）を後部中央に向かって円弧状に下方傾斜させ、前記下端縁の後端と連続する外側縁１７ｂを、ヒップ外周に沿って大腿部付け根の内側に向かって円弧状に下方傾斜させている。
【００３９】
第三当て布１７の内側縁１７ａの上端は、図１（Ｂ）および図３（Ｂ）に示すように、脇線よりも後方位置で上端縁と連続させている。また、第二当て布１６と第三当て布１７と本体布１１との３枚重ね領域Ｓの上端縁の長さは、ガードル１０−１の上端縁全周の長さの２５％以上５０％未満となるように設定している。
【００４０】
第三当て布１７の内側縁１７ａの下部側は、図３（Ｂ）に示すように、第二当て布１６の下端縁１６ａよりも所要領域をあけて下方に位置し、この第二当て布１６にも第三当て布１７にも覆われない本体布１１の領域をヒップ膨出部２２としている。
【００４１】
第三当て布１７は、図３（Ａ）（Ｂ）に示すように、第二当て布１６の肌側に重ねて配置し、前端縁を本体布１１と第一当て布１５と第二当て布１６に一体に縫着している。上端縁および内側縁１７ａの上部側を本体布１１と第二当て布１６に一体に縫着している。内側縁１７ａの下部側は本体布１１に縫着し、後端縁上部１７ｃは臀裂に沿って本体布１１に縫着し、後端縁下部１７ｄをクロッチ布１４の後端縁から本体布１１の大腿部内側縫着部にかけて一体に縫着している。一方、外側縁１７ｂは本体布１１と縫着せずに遊離させている。
【００４２】
第三当て布１７の外側縁１７ｂの長さは、該外側縁１７ｂと対応する位置の本体布１１の長さよりも１ｃｍ短く設定している。
【００４３】
前記第二当て布１６と第三当て布１７は、横方向の伸縮性よりも縦方向の伸縮性が低く、かつ、端始末不要な素材を用いている。第二当て布１６の下端縁１６ａと第三当て布１７の外側縁１７ｂは端末は縫着処理していない。本実施形態では、この第二当て布１６と第三当て布１７にパワーネットを用いている。
なお、第二当て布１６と第三当て布１７とは別素材で形成してもよい。
【００４４】
前記ロングガードル１０−１の裏面側の後部中央には、図３（Ｂ）に示すように、臀裂に沿ってウエスト布１８の上端からクロッチ布１４の後端まで伸縮テープ２３を縫着している。
【００４５】
前記構成のロングガードル１０−１は、腹部に配置された第一当て布１５により腹部の膨らみを押さえる。また、ウエストラインに沿った第一当て布１５の両側の腹部両側からウエスト後脇部にかけて、本体布１１と第二当て布１６と第三当て布１７とが３枚重ねで配置されているため、該部分は強いパワーとなり、腹部側から流れてきた贅肉が腹部両側からウエスト後脇部に流れて膨出することを効果的に抑制できる。
【００４６】
また、第二当て布１６の下端縁１６ａと第三当て布１７の外側縁１７ｂは本体布１１と縫着せず遊離しているため、遊離した端縁は締め付け力が緩和され、第二当て布１６および第三当て布１７で押さえつけた肉を適度に分散することができる。かつ、第二当て布１６および第三当て布１７は上下方向に伸びにくくしているため、贅肉を押さえる力が大きい。これにより、贅肉が溜まりやすい腹部両側からウエスト後脇部にかけたウエスト回り、およびヒップ外周で、第二当て布１６および第三当て布１７の端縁の位置に肉の段差ができることを防止できる。
【００４７】
さらに、第二当て布１６の下端縁１６ａと第三当て布１７の外側縁１７ｂを本体布１１と縫着していないことにより、本体布１１の縦横両方向の伸縮性を第二当て布１６や第三当て布１７に妨げられることなく十分に発揮させることができる。これにより、ロングガードル１０−１の着脱が容易となるうえ、運動追従性も高まり、着崩れや引き攣れを防ぐことができる。
【００４８】
また、腹部両側から脇側後方にかけて、本体布１１に第二当て布１６のみでなく第三当て布１７も重ねていることにより、該部分に強く安定したパワーを発揮でき、第二当て布１６が肉の押し戻し力に負けて下端側からタブることも防止できる。
【００４９】
また、前記３枚重ね領域Ｓは、鼠鶏部よりも上側位置とし、かつ、その上端縁の長さをガードル１０−１の上端縁全周の長さの２５％以上５０％未満に設定しているため、腹部両側から脇側にかけての贅肉の膨出を抑制する機能と、圧迫感のない良好な着用感をバランスよく備えることができる。
【００５０】
さらに、第一当て布１５は横方向に伸びがない、または伸びにくくしているため、第二当て布１６による脇側への引き上げ力が効果的に作用し、腹部膨出を抑制する機能を高めることができる。かつ、第一当て布１５は第二当て布１６により脇側へ引っ張られると同時に腹部から腹斜筋へと引き上げられるため、腹部の下垂も防止できる。
また、第二当て布１６と第三当て布１７は、横方向よりも縦方向の伸縮性を低くしているため、着用時の締め付け感を緩和することと、第二当て布１６による第一当て布１５の引き上げ力および第三当て布１７によるヒップアップパワーを備えることとをバランスよく両立させている。なお、第三当て布１７によるヒップアップ補整パワーは、外側縁１７ｂの長さを、該外側縁１７ｂに対応する部分の本体布１１の長さより１ｃｍ短く設定していることによっても高められる。
【００５１】
さらにまた、第二当て布１６と第三当て布１７には端始末不要の生地を用い、端始末の縫着を行っていないため、これら当て布の輪郭が表地の本体布１１、さらにアウターに響くことを防止できる。
【００５２】
これらにより、前記ロングガードル１０−１は、腹部、腹部両側から脇部にかけた部分、ヒップ下部の体型を整える機能を備える。特に腹部両側から脇線を越えてウエスト後脇部にかけた部位の贅肉の膨出を押さえる強く安定したパワーを有し、肉の段差や生地の引き攣れも防ぐため、ウエスト全周に沿った部分とヒップ周りをスッキリと美しいシルエットを形成することができる。
【００５３】
図４に第一実施形態の第一変形例を示す。
ロングガードル１０−１は、第三当て布１７の内側縁１７ａを、第二当て布１６と重なる３枚重ね領域でのみ本体布１１（および第二当て布１６）と縫着し、それよりも下側部分は本体布１１と縫着せずに遊離させている。
また、この場合、内側縁１７ａの長さは、該内側縁１７ａに対応する部分の本体布１１の長さよりも１ｃｍ短く設定してもよい。これにより、第三当て布１７のヒップアップ効果をより一層高めることができる。
【００５４】
図５に第一実施形態の第二変形例を示す。
第二変形例では、第二当て布１６の前端縁１６ｆを前部中央まで延在させ、本体布１１と縫着し、本体布１１と第一当て布１５との間に挟みこんでいる。
該構成とすると、腹部上部中央が本体布１１、第二当て布１６および第一当て布１５との３枚重ねとなり、腹部の膨らみを強いパワーで押さえることができる。
【００５５】
図６（Ａ）（Ｂ）に、本発明の第二実施形態に係るショートガードル１０−２を示す。
前記第一実施形態との相違点は、左右本体布１３の下端を両脚繰りに沿った位置とし、左右本体布１３の下端縁とクロッチ布１４の左右両側縁で左右の脚繰り周縁を形成している。その他の構成は前記第一実施形態と同一であるため、同一符号を付して説明を省略する。
【００５６】
図７（Ａ）（Ｂ）に、本発明の第三実施形態に係るロングガードル１０−３を示す。
第三実施形態では、腹部押さえ用の第一当て布を設けず、本体布１１を構成する前中央布３０を横伸びがない、または縦横の伸びが殆どない素材で形成し、第一当て布を取り付けることなく、腹部押さえ機能を持たせている。本実施形態では、該前中央布３０としてパワーネットを用いている。
【００５７】
他の構成は前記第一実施形態と同様であり、同一符号を付す。
本体布１１は前記前中央布３０と、該前中央布３０の左右両側縁に縫着する左右両側の左右本体布１３とからなる。左右本体布１３は前中央布３０より伸びやすい素材で形成している。
前記前中央布３０の上部側の左右両側に第二当て布１６、第三当て布１７を備えている。
第二当て布１６は前中央布３０の上部側の腹部両側から脇線を越えて背面側の全周に延在し、第二当て布１６の上端を左右本体布１３の上端に縫着すると共に、下端は左右本体布１３と縫着せずに遊離させている。
第三当て布１７は、第二当て布１６と重ねて前中央布３０の腹部両側から脇線を越えて左右本体布１３の後部へ延在させてヒップの外周に位置させると共に、外側縁はクロッチ布１４からなる股部側から前中央布３０に向けて傾斜させている。該第三当て布１７の上端の少なくとも一部を左右本体布１３の上端に縫着すると共に外側縁は左右本体布１３と縫着せずに遊離させている。
【００５８】
このように、第三実施形態のガードルにおいても、前中央布３０の上部側の腹部両側から脇線をこえてウエスト後脇部分が左右本体布１３、第二当て布１６及び第三当て布１７の３枚重ねとしているため、当該部分の贅肉を押さえることができ、ウエスト周りをスッキリとさせることができる。他の機能は第一実施形態と同様であるため、説明を省略する。
【００５９】
なお、本発明は前記実施形態に限定されるものではなく、第二当て布１６は、後部全周を覆うものではなく、第一当て布１５の腹部両側から少なくとも脇線に達するものとしてもよい。
【産業上の利用可能性】
【００６０】
本発明の股部を有する衣類は、ガードルに限らず、ボディスーツ、パンティ、水着などにも適用できる。
【符号の説明】
【００６１】
１０−１、１０−３  ロングガードル
１０−２  ショートガードル
１１  本体布
１２、３０  前中央布
１３  左右本体布
１５  第一当て布
１６  第二当て布
１７  第三当て布
１７ａ  内側縁
１７ｂ  外側縁
【図１】
2010255148.tif 000003
【図２】
2010255148.tif 000004
【図３】
2010255148.tif 000005
【図４】
2010255148.tif 000006
【図５】
2010255148.tif 000007
【図６】
2010255148.tif 000008
【図７】
2010255148.tif 000009
【図８】
2010255148.tif 000010
【図９】
2010255148.tif 000011